(57)【要約】【課題】嵩だか性や吸収性などに優れたものでありながら、容易にプライ剥がれが生じることもないものとする。【解決手段】それぞれのシートＳ１、Ｓ２ごとに個別にエンボス加工を施した後、このエンボス加工の施された各シートＳ１、Ｓ２をエンボス部分同士が一致しないように重ね合わせ、凹凸部を有し、かつシートの幅方向を軸心として回転自在とされた回転羽を、対向するプレートとの間を通る前記重ねられたシートに押し当て、前記重ねられたシートの側縁に沿ってシート側縁に沿って、接着によることなくプライ剥がれが生じることを防止するエンボス加工による、ライン状のプライボンディング加工を施すことを特徴とするシートロールの製造方法である。【選択図】図２
2005040620.tif 000002
【特許請求の範囲】
【請求項１】
少なくとも２枚以上のシートが重ねられた状態で巻き取られてなるシートロールであって、
前記シートは、それぞれのシートごとに個別にエンボス加工が施され、重ね合わされるシートのエンボス部分同士が一致せず、かつ２枚以上のシートが重ねられた状態で巻き取り方向にシート側縁に沿って、接着によることなくプライ剥がれが生じることを防止するエンボス加工による、ライン状のプライボンディング加工が施されていることを特徴とするシートロール。
【請求項２】
ライン状のプライボンディング加工が、シート両側縁から５〜４０ｍｍ離れた位置にそれぞれ施されている請求項１記載のシートロール。
【請求項３】
ライン状のプライボンディング加工のコンタクト部分の全面積が、重ねられたシートの面積に対して５％以下とされている請求項１または２記載のシートロール。
【請求項４】
少なくとも２枚以上のシートが重ねられた状態で巻き取られてなるシートロールを製造するにあたり、
前記それぞれのシートごとに個別にエンボス加工を施した後、このエンボス加工の施された各シートをエンボス部分同士が一致しないように重ね合わせ、
凹凸部を有し、かつシートの幅方向を軸心として回転自在とされた回転羽を、対向するプレートとの間を通る前記重ねられたシートに押し当て、前記重ねられたシートの側縁に沿ってシート側縁に沿って、接着によることなくプライ剥がれが生じることを防止するエンボス加工による、ライン状のプライボンディング加工を施すことを特徴とするシートロールの製造方法。
【請求項５】
凸部は、シート幅方向の長さが０．３〜１．０ｍｍとされ、かつシート巻き取り方向の長さが０．３〜１．０ｍｍとされている請求項４記載のシートロールの製造方法。
【発明の詳細な説明】
【技術分野】
【０００１】
本発明は、トイレットペーパーロールなどのシートロール及びその製造方法に関する。
【背景技術】
【０００２】
一般に、トイレットペーパーなどは、風合い、肌触り、吸収性などの良好なものが好まれる。そこで、従来から、２枚、あるいはそれ以上のシートを重ねて１組としたトイレットペーパーが広く製品化されている。また、近年では、シートの例えば全面に渡ってエンボス加工を施したトイレットペーパーが製品化されるにいたっている。
【０００３】
しかしながら、従来はシートを重ねた状態でエンボス加工を施していたため、シートの嵩だか性や吸収性がそれ程高くならず、また使用者にごわごわした感覚を与える場合があった。
【０００４】
そこで、それぞれのシートごとにエンボス加工を施すことが望まれるが、それぞれのシートごとにエンボス加工を施すと、重ねられたシート相互の分離、すなわち「プライ剥がれ」が生じ易くなる。
【０００５】
一般に、トイレットペーパーは巻き取られロールとされた状態で使用されているところ、プライ剥がれが生じ易いと、図１の（Ａ）に示すように、重ねられた第１シートＳ１及び第２シートＳ２のうち、第１シートＳ１のみが巻き戻されシート組み合わせのずれが生じる場合がある。また、この場合、図１（Ａ）の右側に示すように、第１シートＳ１のみが下方に垂れ下がり使用者に不衛生感を与えることもある。さらに、この場合、図１の（Ｂ）に示すように、第１シートＳ１のみが巻き戻されてしまったことにより、使用者は、シートＳ２とシートＳ３とを１組のトイレットペーパーと考え、これを巻き戻し切り離そうとすることがある。ところが、図中に示すように、シート幅方向に切り離し用のミシン目Ａ，Ｂが設けられていると（なお、シートＳ１とシートＳ２とで１組となっておりこれらにミシン目Ａが、シートＳ３とシートＳ４とで１組となっておりこれらにミシン目Ｂが、設けられている。）、使用者が切り離そうとする１組のシート（Ｓ２及びＳ３）にはＡとＢというずれた位置にミシン目が設けられていることになるため、切り離しをスムーズに行うことができないという問題が生じる。
【０００６】
この他にも、プライ剥がれが生じ易いと、切り離しに際して、図１の（Ｃ）に示すように、第１シートＳ１と第２シートＳ２とで切り離される位置にずれが生じ易くなり見栄えが悪くなるといった問題もある。この点、当然、シート間を糊類によって接着しプライ剥がれを防止することも考えられるが、これではトイレットペーパーが固くなり、また溶解性を悪化させるなどの問題が生じる。
【０００７】
特に、ラバースチール方式でエンボス加工を行うと、シートに表裏差が生じるので、複数枚のシート外側をなめらかな面とした場合、プライ剥がれを生じたとき、使用時にざらつき感がある面が外側にきてしまい切り離しがスムーズに行えないばかりでなく、肌触り、見栄えが悪くなる。
【発明の開示】
【発明が解決しようとする課題】
【０００８】
そこで、本発明の主たる課題は、それぞれのシートごとにエンボス加工が施され、もって嵩だか性や吸収性などに優れたものでありながら、容易にプライ剥がれが生じることもないシートロール及びその製造方法を提供することにある。
【課題を解決するための手段】
【０００９】
上記課題を解決した本発明は、次のとおりである。
＜請求項１記載の発明＞
少なくとも２枚以上のシートが重ねられた状態で巻き取られてなるシートロールであって、
前記シートは、それぞれのシートごとに個別にエンボス加工が施され、重ね合わされるシートのエンボス部分同士が一致せず、かつ２枚以上のシートが重ねられた状態で巻き取り方向にシート側縁に沿って、接着によることなくプライ剥がれが生じることを防止するエンボス加工による、ライン状のプライボンディング加工が施されていることを特徴とするシートロール。
【００１０】
＜請求項２記載の発明＞
ライン状のプライボンディング加工が、シート両側縁から５〜４０ｍｍ離れた位置にそれぞれ施されている請求項１記載のシートロール。
【００１１】
＜請求項３記載の発明＞
ライン状のプライボンディング加工のコンタクト部分の全面積が、重ねられたシートの面積に対して５％以下とされている請求項１または２記載のシートロール。
【００１２】
＜請求項４記載の発明＞
少なくとも２枚以上のシートが重ねられた状態で巻き取られてなるシートロールを製造するにあたり、
前記それぞれのシートごとに個別にエンボス加工を施した後、このエンボス加工の施された各シートをエンボス部分同士が一致しないように重ね合わせ、
凹凸部を有し、かつシートの幅方向を軸心として回転自在とされた回転羽を、対向するプレートとの間を通る前記重ねられたシートに押し当て、前記重ねられたシートの側縁に沿ってシート側縁に沿って、接着によることなくプライ剥がれが生じることを防止するエンボス加工による、ライン状のプライボンディング加工を施すことを特徴とするシートロールの製造方法。
【００１３】
＜請求項５記載の発明＞
凸部は、シート幅方向の長さが０．３〜１．０ｍｍとされ、かつシート巻き取り方向の長さが０．３〜１．０ｍｍとされている請求項４記載のシートロールの製造方法。
【発明の効果】
【００１４】
本発明によれば、嵩だか性や吸収性などに優れながら、容易にプライ剥がれが生じることのないものとなる。
【発明を実施するための最良の形態】
【００１５】
以下、本発明の実施の形態を説明する。
本発明に係るシートロールは、少なくとも２枚以上の紙などからなるシートが重ねられた状態で巻き取られてなるものである。重ねられるシートの枚数は特に限定されるものではなく、例えば２枚、３枚、４枚、それ以上と適宜変更することができる。本実施の形態では、２枚のシートが重ねられる場合について、特にシートがトイレットペーパーである場合について説明する。
【００１６】
なお、以下では、各シートを単に「シート」といい、各シートが重ねられてなるものを「重ねられたシート」又は「トイレットペーパー」という。
また、「プライボンディング処理」とは、２枚以上のシートが重ねて巻き取られているため、使用時にシートの剥がれが生じることを防止する目的で、シート同士を密着させる処理をいう。プライボンディング処理には、エンボス、スリット、接着等によるものがあるが、本発明におけるプライボンディング処理は、エンボスによるものをいう。
【００１７】
本実施の形態に係るトイレットペーパーロールを製造するにあたっては、まず、図２に示すように、図示しない供給リールから繰り出された２枚のシートＳ１及びＳ２に、使用感の向上という観点から好ましくは６０％以上、より好ましくは９０％以上の全領域にわたって、それぞれエンボス加工ロール装置２，２によってエンボス加工を施す。ここで施すエンボスは、その大きさ、形状などが特に限定されるものではなく、ロゴマーク、数字、文字、幾何学模様など従来例と同様とすることができる。
【００１８】
ただし、このエンボス加工は、従来例のように重ねられたシートに対してなすのではなく、重ねられる前のシートそれぞれに対してなすものである。各シートに対して、それぞれ単独でエンボス加工を施すことにより、各シートを重ね合わせてできるトイレットペーパーＳの嵩だか性が向上され、もってシートの吸収性や柔らか味が良好なものとなる。
【００１９】
エンボス加工を施したシートＳ１及びＳ２には、次に、プライボンディング装置１０によって、「重ね合わせ処理」及び「ライン状のプライボンディング加工を施す処理」を行う。
【００２０】
図３に、プライボンディング装置１０を詳しく示した。
プライボンディング装置１０は、加工機１１と、この加工機１１と押圧接触するその表面が金属、ラバー、ペーパー、フェルトなどからなるプレート１２と、シートＳ１，Ｓ２又はこれらが重ねられてなるトイレットペーパーＳの搬送方向を変更するロール１３，１４，１５及び１６と、から主になる。
【００２１】
エンボス加工を施されたシートＳ１はロール１３によって搬送方向を水平から下方に変更され、他方、エンボス加工を施されたシートＳ２はロール１４によって搬送方向を斜め上方から下方に変更され、シートＳ２がロール１４から離れる地点において、シートＳ１とシートＳ２とが重ねられる。
【００２２】
このようにして重ねられたシートＳ１及びシートＳ２は、ロール１５によってその搬送方向を下方から斜め上方に変更された後、加工機１１とプレート１２との間を通され、これにより重ねられた状態で巻き取り方向にライン状のプライボンディング加工が施される（プライボンディング処理）。
【００２３】
従来例のように重ねられたシートにエンボス加工を施すと、図７の（Ａ）に示すように、シートＳ１のエンボス部分とシートＳ２のエンボス部分とは一致しプライ剥がれは生じにくいが（なお、実際にはシートＳ１とシートＳ２とは接触している。）、本発明のようにそれぞれのシートＳ１，Ｓ２ごとにエンボス加工を施すと、図７の（Ｂ）に示すように、シートＳ１のエンボス部分とシートＳ２のエンボス部分と一致せず、したがって、嵩だか性、吸収性などは向上するものの、プライ剥がれが生じやすくなる。しかしながら、本発明においては、プライボンディング処理を施すので、図７の（Ｃ）に示すように、かかる部分においてシートＳ１とシートＳ２とは接触し、したがってプライ剥がれが抑止されることになる。このような効果は、図７の（Ｄ）に示すような、シートＳ１のエンボス頂面がシートＳ２側に、シートＳ２のエンボス頂面がシートＳ１側に位置するようなトイレットペーパー、すなわち両面均等ななめらかさを有するトイレットペーパーにおいても得ることができる。換言すれば、プライボンディング処理により、それぞれのシートごとにエンボス加工を施すことができるようになる（嵩だか性の向上）他、トイレットペーパーの両面を均等ななめらかさとすることができるようにもなるということになる。
【００２４】
このようにしてプライボンディング処理がなされたトイレットペーパーＳは、次いで、ロール１６によってその搬送方向を水平方向から下方に変更され、後工程に送られる。
【００２５】
プライボンディング加工は、ライン状とし、例えば直線状、シート幅方向に振れる波線状等にすることができるが、直線状とするのが好ましい。本実施の形態では、直線状とする。
【００２６】
プライボンディング処理をなす加工機１１は、図４及び図５に示すように、表面に凹凸部が設けられた回転刃２１と、この回転刃２１をトイレットペーパーＳの幅方向を軸心として回転自在に保持するホルダー２２と、主に有する。
【００２７】
回転刃２１の表面に形成された凸部は、２枚のシートＳ１とＳ２との意図的な接触部分（コンタクト部分）を形成するためのものであり、その形状は、特に限定されるものではない。例えば、正方形、長方形、円形、楕円形などとすることができる。
【００２８】
ただし、このコンタクト部分の全面積は、トイレットペーパーＳ全体の面積に対して５％以下となるようにするのが好ましい。コンタクト部分を広くしすぎると、各シートＳ１，Ｓ２に施したエンボスや描いた模様などに影響（不自然さ）を与え、見栄えが悪くなるためである。
【００２９】
なお、以上では「コンタクト部分」という表現を用いたが、これはコンタクト部分以外でシートＳ１とシートＳ２とが接触してはならないということを意味するものではなく、コンタクト部分ではシートＳ１とシートＳ２とが（凸部の作用によって）意図的に接触させられていることを意味するものであることを、ここに付言しておく。
【００３０】
凸部（コンタクト部分）は、トイレットペーパーＳ幅方向の長さを０．３〜１．０ｍｍとし、かつトイレットペーパーＳ巻き取り方向の長さを０．３〜１．０ｍｍとするのが好ましく、トイレットペーパーＳ幅方向の長さを０．３〜０．５ｍｍとし、かつトイレットペーパーＳ巻き取り方向の長さを０．３〜０．５ｍｍとするのがより好ましい。各１．０ｍｍ以下とすることにより、使用者にプライボンディングをほとんど認識させることなく、しかもプライ剥がれ防止効果を確実に達成することができる。特に、各０．５ｍｍ以下とした場合は、プライボンディングが備わることをあらかじめ伝えられた者が、凝視しなければ認識することができないほどになる。本実施の形態では、図６に示すように、凸部２１ａ，２１ａ…の形状を長方形とし、かつその大きさを幅方向０．４ｍｍ、流れ方向０．３ｍｍとした。なお、図６中の（Ａ）は回転刃２１の一部拡大図、（Ｂ）は平面拡大図、（Ｃ）は断面拡大図である。ただし、（Ｃ）で示す断面図は、厳密には弧を描くものであるが、説明のために直線状としている。
【００３１】
以上のようなプライボンディング処理は、シート（トイレットペーパー）側縁に沿って施すのが好ましく、シート両側縁から５〜４０ｍｍ離れた位置にそれぞれ施すのが特に好ましい。シート側縁に沿って施す場合は、本実施の形態として示した回転する刃２１などで迅速に施すことが可能となり、したがって、工程（プライボンディング処理）追加による処理効率の低下を可及的に防ぐことができる。実際に、本実施の形態に係るプライボンディング装置１０を使用すると、トイレットペーパー搬送速度３００ｍ／分以上での高速処理が可能であることが確認されている。
【００３２】
また、シート「両」側縁に施すことにより、従来技術の問題点として図１の（Ｃ）に示した「シートＳ１とシートＳ２とで切り離される位置にずれが生じ易くなり見栄えが悪くなる」という問題が解消される。この効果は、例えばプライボンディング処理をトイレットペーパーの切り離し用ミシン目に沿って施した場合には達成されないものである。切り離し用ミシン目に沿って施した場合は、ミシン目以外の部分において切り離しがなされた場合、切り離し位置のずれを抑止する力が何ら働かないからである。
【００３３】
シート両側縁に沿ってプライボンディング処理を施す場合、これをシート側縁から５ｍｍ以上離れた位置になすのが好ましいのは、プライボンディング処理を（シートから外すことなく）シートに対して確実にヒットさせるためである。なお、ＪＩＳ  Ｐ  ４５０１においては、シート幅が１１４ｍｍとされ、かつ許容差が±２ｍｍ以内とされている。
【００３４】
シート側縁から４０ｍｍ以内とするのは、トイレットペーパーの両側縁がまくれあがるのを可及的に防止するためである。
【００３５】
シート両側縁からのプライボンディング処理位置の調整方法は、特に限定されるものではない。本実施の形態では、図４に示すように、ホルダー２２にコ字型のフック２３を設け、このフック２３を、図３に示すように、トイレットペーパーＳの幅方向に延在する掛け材２４にボルト２５で留め外し自在とし、もって調整することができるようにした。図示はしないが、加工機１１は、トイレットペーパーＳの幅方向に複数台並べて設置している。
【００３６】
さらに、プライボンディング処理をシート側縁に沿ってなす場合は、隣接する凸部（コンタクト部分）相互の間隔を０．３ｍｍ以上とするのが好ましい。この間隔を短くすると、プライ剥がれ防止効果は増加するものの、プライボンディング部分において、トイレットペーパーが折れやすく（曲がりやすく）なるためである。本実施の形態では、相互の間隔を０．８ｍｍとした。
【００３７】
以上のようにして、トイレットペーパーＳにプライボンディング処理を施したら、かかるトイレットペーパーＳに対して、図２に示すように、ミシン目加工ロール装置３で切り離し用ミシン目を入れ、さらに巻き取り作業などを行う。これにより、本実施の形態に係るトイレットペーパーができ上がる。
【図面の簡単な説明】
【００３８】
【図１】従来例の問題点を説明するための図である。
【図２】製造工程の説明図である。
【図３】プライボンディング装置の側面図である。
【図４】加工機の側面図である。
【図５】加工機の正面図である。
【図６】回転刃を説明するための図である。
【図７】各シートの重ね合わせ状態を説明するための図である。
【符号の説明】
【００３９】
２…エンボス加工ロール装置、３…ミシン目加工ロール装置、１０…プライボンディング処理装置、１１…加工機、１２…プレート、１３〜１６…ロール、２１…回転刃、２２…ホルダー、Ｓ…トイレットペーパー、Ｓ１，Ｓ２…シート。
【図１】
2005040620.tif 000003
【図２】
2005040620.tif 000004
【図３】
2005040620.tif 000005
【図４】
2005040620.tif 000006
【図５】
2005040620.tif 000007
【図６】
2005040620.tif 000008
【図７】
2005040620.tif 000009